(57)【要約】【課題】メモ等を用紙に書き込むことができるとともに、そのメモ等を適正に電子化して保存することができ、しかも、そのように電子化して保存できるようにしても、上記用紙への書き込みが自然体で行える卓上メモ装置を提供する。【解決手段】筆記用具で書き込める用紙５１を綴じた卓上メモ用具５０と、上記用紙５１の少なくとも一部分を囲む四角枠状の光導波路Ｗと、この光導波路Ｗの枠内から露呈した上記用紙５１の部分に筆記用具で書き込むときにその筆記用具の先端の移動軌跡を電子データとして記憶する記憶手段Ｃとを備えている。上記光導波路Ｗは、その枠状において互いに対向する一方の部分に、光出射用の複数のコアが形成され、他方の部分に、光入射用の複数のコアが形成され、各コアの先端部が上記枠状の内側縁に位置決めされ、光出射用のコアの先端部と光入射用のコアの先端部とが対向している。【選択図】図１
2012146057.tif 000002
【特許請求の範囲】
【請求項１】
筆記用具で書き込める用紙を綴じた卓上メモ用具と、上記用紙の少なくとも一部分を囲む、下記（Ａ）の枠状の光導波路と、この光導波路の枠内から露呈した上記用紙の部分に筆記用具で書き込むときにその筆記用具の先端の移動軌跡を電子データとして記憶する記憶手段とを備えていることを特徴とする卓上メモ装置。
（Ａ）枠状に形成され、その枠状において互いに対向する一方の部分に、光出射用の複数のコアが形成され、他方の部分に、光入射用の複数のコアが形成され、各コアの先端部が上記枠状の内側縁に位置決めされ、光出射用のコアの先端部と光入射用のコアの先端部とが対向している光導波路。
【請求項２】
光導波路と記憶手段とが一体に記憶装置として形成され、その記憶装置が卓上メモ用具に対し着脱自在になっている請求項１記載の卓上メモ装置。
【請求項３】
光出射用のコアの先端部および光入射用のコアの先端部が、レンズ部に形成されている請求項１または２記載の卓上メモ装置。
【請求項４】
光出射用のコアの先端部および光入射用のコアの先端部を被覆した状態でオーバークラッド層の先端部が形成され、そのオーバークラッド層の先端部が、レンズ部に形成されている請求項１〜３のいずれか一項に記載の卓上メモ装置。
【発明の詳細な説明】
【技術分野】
【０００１】
本発明は、卓上メモ用具の用紙にメモ等を書き込むと同時に、そのメモ等をデジタルデータ（電子データ）として保存（記憶）することができる卓上メモ装置に関するものである。
【背景技術】
【０００２】
メモ用具には、電子メモ処理装置のように、メモ等をデジタル処理するものがある（例えば、特許文献１参照）。このものは、入力するメモ等を表示するディスプレイを備えており、そのディスプレイに、専用ペンを用いてメモ等を入力することができるようになっている。すなわち、上記ディスプレイは、タッチセンサ付きのもの（タッチパネル）になっており、そのディスプレイに、上記専用ペンの先端を接触させ、その専用ペンを動かすことにより、その専用ペンの先端の移動軌跡がメモ等として、上記ディスプレイに入力されるようになっている。そして、上記ディスプレイに表示されたメモ等の情報が電子データとして上記電子メモ処理装置に保存（記憶）されるようになっている。
【０００３】
また、ペン先や指先等の移動軌跡を検知するものとして、複数の発光素子および受光素子を備えた光学的位置検出装置が提案されている（例えば、特許文献２参照）。このものは、四角枠状に形成され、その四角枠を構成する一対のＬ字状部分の一方に、発光素子を複数並設し、他方に、上記発光素子に対向する受光素子を複数並設したものとなっている。そして、その四角枠内でペンや指等を移動させることにより、メモ等の情報を入力するようになっている。すなわち、上記四角枠内でペンや指等を移動させると、上記発光素子からの光が上記ペンや指等により遮光され、その遮光を、上記発光素子に対向する受光素子が感知することにより、上記ペンや指等の軌跡（メモ等の入力情報）を検知するようになっている。そして、その軌跡を信号として上記電子メモ処理装置に出力すると、その電子メモ処理装置のディスプレイにメモ等として入力することも可能である。
【先行技術文献】
【特許文献】
【０００４】
【特許文献１】特許第３７４６３７８号公報
【特許文献２】特許第３６８２１０９号公報
【発明の概要】
【発明が解決しようとする課題】
【０００５】
しかしながら、上記電子メモ処理装置は、落下等の衝撃により、その電子メモ処理装置自体が壊れたり、保存したデータが壊れたりすることがあり、そのような場合、保存したデータを再生できないという問題が発生する。また、高齢者を中心として、上記電子メモ処理装置ではなく、筆記用具で用紙に書き込むタイプのメモ用具に対する需要も高い。
【０００６】
上記光学的位置検出装置を入力手段に用いると、それ自体が四角枠状であることから、その下に用紙を設置し、その用紙の一部分を枠内から露呈させ、その露呈した用紙の部分に直接、筆記用具でメモ等を書き込むとともに、そのメモ等を電子メモ処理装置に入力することができる。そして、そのメモ等を書き込んだ用紙を残すこともできる。しかしながら、上記光学的位置検出装置は、複数の発光素子および受光素子を枠状に並設しているため、その枠体が厚くなっており（厚み約６ｍｍ以上）、枠内でペンや指等の入力体を移動させて入力する場合、上記枠体の厚みのため、その入力に用いる手が不自然に位置決めされ、入力し難くなっている。それに加えて、発光素子が厚いことから、発光素子からの光は、上記光学的位置検出装置の底面からある程度高い位置（４ｍｍ程度）を走行するため、ペンや指等で入力する場合、その入力位置が、枠内の底面ではなく、ある程度高い位置で検知される。しかも、入力する際のペンや指等は、通常、枠内の底面に直角ではなく、斜めになるため、検知される軌跡は、ペン先や指先等の軌跡（枠内の底面での軌跡）ではなく、その斜め上の軌跡となり、ディスプレイに表示されるメモ等が、入力者が意図した表示位置とずれる。これらのことから、入力するメモ等をディスプレイに適正に表示するためには、その入力が不自然になる。
【０００７】
本発明は、このような事情に鑑みなされたもので、メモ等を用紙に書き込むことができるとともに、そのメモ等を適正に電子化して保存することができ、しかも、そのように電子化して保存できるようにしても、上記用紙への書き込みが自然体で行える卓上メモ装置の提供をその目的とする。
【課題を解決するための手段】
【０００８】
上記の目的を達成するため、本発明の卓上メモ装置は、筆記用具で書き込める用紙を綴じた卓上メモ用具と、上記用紙の少なくとも一部分を囲む、下記（Ａ）の枠状の光導波路と、この光導波路の枠内から露呈した上記用紙の部分に筆記用具で書き込むときにその筆記用具の先端の移動軌跡を電子データとして記憶する記憶手段とを備えているという構成をとる。
（Ａ）枠状に形成され、その枠状において互いに対向する一方の部分に、光出射用の複数のコアが形成され、他方の部分に、光入射用の複数のコアが形成され、各コアの先端部が上記枠状の内側縁に位置決めされ、光出射用のコアの先端部と光入射用のコアの先端部とが対向している光導波路。
【発明の効果】
【０００９】
本発明の卓上メモ装置は、卓上メモ用具の用紙の少なくとも一部分を囲む、上記（Ａ）の枠状の光導波路と、この光導波路の枠内から露呈した上記用紙の部分に筆記用具で書き込むときにその筆記用具の先端の移動軌跡を電子データとして記憶する記憶手段とを備えている。そのため、上記光導波路の枠内から露呈した用紙の部分に筆記用具でメモ等を書き込むと、そのメモ等は、上記用紙に残すことができるとともに、上記記憶手段に電子データとして保存（記憶）することもできる。そして、上記用紙が損傷したとしても、その用紙に書き込んだメモ等の内容を、上記記憶手段からパーソナルコンピュータ等を利用して引き出す（再生する）ことができる。さらに、光導波路は、薄く形成することができるため、上記用紙にメモ等を書き込む際に、その書き込みの妨げにならず、上記筆記用具を持つ手を自然な位置に位置決めすることができる。そのため、上記用紙への書き込みが自然体で行える。そして、光導波路は、上記のように薄いことから、光出射用のコアの先端部から出射する光は、その枠内の底面（用紙表面）から僅かに高い位置を走行するため、筆記用具を斜めにした状態で書き込んでも、検知される軌跡は、筆記用具の先端の軌跡（用紙に書き込んだメモ等）と略同じになり、適正な状態で記憶手段に保存（記憶）することができる。また、上記のように光導波路が薄いことから、上記記憶手段も薄く形成することができ、卓上メモ用具への収まりがよい。
【００１０】
特に、光導波路と記憶手段とが一体に記憶装置として形成され、その記憶装置が卓上メモ用具に対し着脱自在になっている場合には、上記記憶装置を卓上メモ用具から外しておけば、上記卓上メモ用具の紛失や損傷があったとしても、上記卓上メモ用具の用紙に書き込んだメモ等の内容を、上記記憶装置の記憶手段からパーソナルコンピュータ等を利用して引き出す（再生する）ことができる。また、上記記憶装置を卓上メモ用具から外して保存すれば、上記卓上メモ用具を廃棄することもでき、上記卓上メモ用具を保存する程の大きいスペースを必要としない。
【００１１】
また、光出射用のコアの先端部および光入射用のコアの先端部が、レンズ部に形成されている場合には、光出射用のコアのレンズ部からの出射光を、光の拡散を適正に抑制した状態で出射することができ、光入射用のコアのレンズ部では、上記出射光を、適正に収束させた状態で、コア内に導くことができる。その結果、光導波路の枠内での光伝送効率を向上させることができ、その枠内での筆記用具の軌跡を正確に検知することができる。
【００１２】
さらに、光出射用のコアの先端部および光入射用のコアの先端部を被覆した状態でオーバークラッド層の先端部が形成され、そのオーバークラッド層の先端部が、レンズ部に形成されている場合には、光出射側では、オーバークラッド層のレンズ部からの出射光を、光の拡散を適正に抑制した状態で出射することができ、光入射側では、上記出射光を、オーバークラッド層のレンズ部の広い領域で入射させ、その光を、さらに絞って集束した状態でコアの端面に入射させることができる。その結果、光導波路の枠内での光伝送効率を向上させることができ、その枠内での筆記用具の軌跡を正確に検知することができる。
【図面の簡単な説明】
【００１３】
【図１】本発明の卓上メモ装置の一実施の形態を模式的に示す斜視図である。
【図２】（ａ）は、上記卓上メモ装置の記憶装置を模式的に示す平面図であり、（ｂ）は、（ａ）のＸ１−Ｘ１断面図であり、（ｃ）は、（ａ）のＸ２−Ｘ２断面図である。
【図３】（ａ）〜（ｃ）は、上記記憶装置の光導波路の作製方法の一例を模式的に示す説明図である。
【図４】（ａ）〜（ｃ）は、上記図３に示す工程に続く光導波路の作製方法を模式的に示す説明図である。
【図５】（ａ）〜（ｂ）は、上記図４に示す工程に続く記憶装置の作製方法を模式的に示す説明図である。
【図６】（ａ）は、上記図５に示す工程に続く記憶装置の作製方法を模式的に示す説明図であり、（ｂ）は、（ａ）のＸ４−Ｘ４断面図である。
【図７】上記図６に示す工程に続く記憶装置の作製方法を模式的に示す説明図である。
【発明を実施するための形態】
【００１４】
つぎに、本発明の実施の形態を図面にもとづいて詳しく説明する。
【００１５】
図１は、本発明の卓上メモ装置の一実施の形態を示している。この実施の形態の卓上メモ装置は、図１に示すように、筆記用具で書き込める用紙５１を綴じた卓上メモ用具５０と、上記用紙５１の一部分を囲む四角枠状の光導波路Ｗと、この光導波路Ｗの枠内から露呈した上記用紙５１の部分に筆記用具で書き込むときにその筆記用具の先端の移動軌跡を電子データとして記憶する記憶手段Ｃとを備えている。この実施の形態では、上記光導波路Ｗの一端縁に、帯状の記憶手段Ｃが一体に形成され、それら光導波路Ｗと記憶手段Ｃとで記憶装置Ａを形成している。このように、筆記用具で用紙５１にメモ等を書き込むタイプの卓上メモ用具５０に、その用紙５１に書き込むメモ等の情報を電子データとして記憶する上記記憶装置Ａを設けたことが、本発明の大きな特徴である。
【００１６】
なお、この実施の形態では、上記記憶装置Ａは、上記用紙５１上（図１では、用紙５１の表面の周縁部）に載置して使用されるようになっており、上記用紙５１を取り除く（消費する）につれて、その用紙５１の高さに合わせて上記記憶装置Ａが下がり、上記用紙５１を補充すると、その用紙５１の高さに合わせて上記記憶装置Ａが上がるよう、上下動自在になっている。さらに、この実施の形態では、上記記憶装置Ａは、上記卓上メモ用具５０に対し、着脱自在になっている。また、上記卓上メモ用具５０の用紙５１は、台部５２の上に固定されている。
【００１７】
上記の特徴的な記憶装置Ａについて詳しく説明する。
【００１８】
上記記憶装置Ａは、その平面図を図２（ａ）に示すように、各辺が同一太さの上記四角枠状の光導波路Ｗと、その光導波路Ｗの一端縁に一体に形成された帯状の記憶手段Ｃとを備えている。また、上記記憶装置Ａのうち、上記光導波路Ｗの部分の拡大断面図〔図２（ａ）のＸ１−Ｘ１断面図〕である図２（ｂ）および上記記憶手段Ｃの部分の拡大断面図〔図２（ａ）のＸ２−Ｘ２断面図〕である図２（ｃ）に示すように、この実施の形態では、上記光導波路Ｗおよび上記記憶手段Ｃは、ステンレス等からなる四角枠状の保持板３０上に固定されているとともに、それらの頂面がポリカーボネート等からなる保護板４０で覆われている。上記保持板３０は、記憶装置Ａの平面性を保持し易くするためのものであり、上記保護板４０は、記憶装置Ａを保護するためのものである。
【００１９】
上記四角枠状の光導波路Ｗは、図２（ａ），（ｂ）に示すように、つぎのような、アンダークラッド層１，コア２ａ，２ｂ，オーバークラッド層３からなっている。すなわち、上記四角枠状の保持板３０上に、四角枠状のアンダークラッド層１が形成されている。そして、そのアンダークラッド層１の四角枠を構成する一対のＬ字状部分の一方の表面に、光出射用のコア２ａが複数に分岐された状態で形成され、他方の表面に、光入射用の複数のコア２ｂが並列状態で形成されている。各コア２ａ，２ｂの先端部は、上記四角枠状の内側縁に位置決めされ、光出射用のコア２ａの先端部と光入射用のコア２ｂの先端部とが対向した状態に形成されている。さらに、上記光出射用のコア２ａおよび光入射用のコア２ｂを被覆した状態で、上記アンダークラッド層１の表面に、オーバークラッド層３が四角枠状に形成されている。この実施の形態では、上記四角枠状の内側縁に位置決めされているコア２ａ，２ｂの先端部が、平面視形状が略１／２円弧状の曲面を有する凸状のレンズ部に形成され、そのレンズ部を被覆するオーバークラッド層３の先端部が、側断面形状が略１／４円弧状の曲面を有する凸状のレンズ部３ａに形成されている。なお、図２（ａ）では、コア２ａ，２ｂを鎖線で示しており、鎖線の太さがコア２ａ，２ｂの太さを示している。また、図２（ａ），（ｂ）では、コア２ａ，２ｂの数を略して図示している。
【００２０】
上記記憶手段Ｃは、回路基板と、この回路基板に電気を供給する電池とを備えている。上記回路基板は、図２（ａ），（ｃ）に示すように、上記光出射用のコア２ａの端部に接続された発光素子５，上記光入射用のコア２ｂの端部に接続された受光素子６，上記記憶手段Ｃを制御するＩＣ，上記光導波路Ｗの枠内から露呈した用紙５１の部分に書き込むメモ等の情報（筆記用具の先端の移動軌跡の情報）を記憶するメモリ，そのメモリに記憶したメモ等の情報を再生用端末（パーソナルコンピュータ，モバイル機等）に出力する接続モジュール等がフレキシブルプリント基板７に搭載されたものとなっている。なお、図２（ｃ）では、上記電池，ＩＣ，メモリ，接続モジュール等をまとめて符号８を付した斜線部分で示している。
【００２１】
そして、上記光導波路Ｗと記憶手段Ｃとからなる記憶装置Ａ〔図２（ａ）〜（ｃ）参照〕において、上記発光素子５からの光は、上記光出射用のコア２ａを通り、その先端のレンズ部を経て、それを被覆するオーバークラッド層３のレンズ部３ａの表面から出射される。これにより、その光は、上記四角枠状の光導波路Ｗの枠内において、格子状に走った状態となる。その格子状に走る光は、上記光出射用のコア２ａの先端のレンズ部およびそれを被覆するオーバークラッド層３のレンズ部３ａの屈折作用により、発散が抑制されている。そして、この状態で、光導波路Ｗの枠内から露呈した用紙５１(図１参照）の部分に筆記用具でメモ等を書き込むと、上記格子状に走る光が上記筆記用具の先端により遮光され、その遮光が上記受光素子６により感知されることにより、上記筆記用具の先端の軌跡（メモ等の書き込み情報）が検知され、その軌跡がデジタルデータ（電子データ）として上記メモリに記憶されるようになっている。すなわち、光導波路Ｗの枠内から露呈した用紙５１の部分に筆記用具でメモ等を書き込むと同時に、そのメモ等の情報を上記記憶手段Ｃのメモリに記憶させることができる。
【００２２】
このように、上記卓上メモ装置では、メモ等を、上記用紙５１に残すことができるとともに、上記記憶手段Ｃのメモリに電子データとして保存（記憶）することもできる。また、上記用紙５１のページを変えてメモ等を書き込んでも、上記メモリでは、保存（記憶）された順番を把握することができるため、毎ページのメモ等を保存（記憶）することも可能である。さらに、上記記憶装置Ａは、保存（記憶）したいページのみに使用することも可能である。
【００２３】
また、光導波路Ｗは、薄く形成することができ（厚くても１ｍｍ程度）、この実施の形態のように、光導波路Ｗの表裏面に保持板３０および保護板４０を設けても、総厚を２ｍｍ程度に形成できるため、その光導波路Ｗに保持板３０および保護板４０を合わせた四角枠状の部分が書き込みの際の妨げにならず、書き込み易くなっている。そして、光導波路Ｗは、上記のように薄いことから、光出射用のコア２ａの先端部から出射する光は、上記保持板３０の厚みを考慮しても、その枠内の底面から僅かに高い位置（０．６ｍｍ程度）を走行するため、上記筆記用具を斜めにした状態で書き込んでも、検知される軌跡は、筆記用具の先端の軌跡（用紙５１に書き込んでいるメモ等）と略同じであり、適正な状態で上記記憶手段Ｃのメモリに保存（記憶）される。
【００２４】
そして、上記記憶手段Ｃのメモリに保存（記憶）されたメモ等の情報は、再生用端末（パーソナルコンピュータ，モバイル機等）を利用して再生（表示）することができ、さらに、上記再生用端末に記憶させることもできる。この場合、上記再生用端末と上記記憶手段Ｃとは、例えば、マイクロＵＳＢケーブル等の接続ケーブルで接続される。なお、上記記憶手段Ｃのメモリへの保存（記憶）は、例えば、ｐｄｆ等の汎用性のあるファイル形式で行われきる。
【００２５】
つぎに、上記記憶装置Ａの作製方法の一例について説明する。なお、この説明のうち、光導波路Ｗの作製方法の説明に引用する図３〜図４は、図２（ａ）のＸ３−Ｘ３断面に相当する部分を図示している。
【００２６】
まず、光導波路Ｗを形成するための四角枠状の基板１０〔図３（ａ）参照〕を準備する。この基板１０の形成材料としては、例えば、金属，樹脂，ガラス，石英，シリコン等があげられる。
【００２７】
ついで、図３（ａ）に示すように、上記四角枠状の基板１０の表面に、それと同形状の四角枠状のアンダークラッド層１を形成する。このアンダークラッド層１は、感光性樹脂を形成材料として、フォトリソグラフィ法により形成することができる。アンダークラッド層１の厚みは、例えば、５〜５０μｍの範囲内に設定される。
【００２８】
つぎに、図３（ｂ）に示すように、上記四角枠状のアンダークラッド層１の表面に、フォトリソグラフィ法により前記パターンの光出射用のコア２ａおよび光入射用のコア２ｂを形成する。これらコア２ａ，２ｂの形成材料としては、上記アンダークラッド層１および下記オーバークラッド層３〔図４（ｂ）参照〕の形成材料よりも屈折率が高い感光性樹脂が用いられる。
【００２９】
ここで、図３（ｃ）に示すように、オーバークラッド層形成用の、透光性を有する四角枠状の成形型２０を準備する。この成形型２０には、オーバークラッド層３〔図４（ｂ）参照〕の表面形状に対応する型面を有する凹部２１が形成されている。そして、その凹部２１を上にして、成形型２０を成形ステージ（図示せず）の上に設置し、その凹部２１に、オーバークラッド層３の形成材料である感光性樹脂３Ａを充填する。
【００３０】
ついで、図４（ａ）に示すように、上記アンダークラッド層１の表面にパターン形成したコア２ａ，２ｂを、上記成形型２０の凹部２１に対して位置決めし、その状態で、上記アンダークラッド層１を上記成形型２０に押圧し、上記オーバークラッド層３の形成材料である感光性樹脂３Ａ内に、上記コア２ａ，２ｂを浸す。そして、この状態で、紫外線等の照射線を、上記成形型２０を透して上記感光性樹脂３Ａに照射し、その感光性樹脂３Ａを露光する。これにより、上記感光性樹脂３Ａが硬化し、四角枠状の内周縁部がレンズ部３ａに形成された四角枠状のオーバークラッド層３が形成される。
【００３１】
つぎに、図４（ｂ）〔図４（ａ）とは上下を逆に図示している〕に示すように、上記成形型２０〔図４（ａ）参照〕から、上記オーバークラッド層３を、上記基板１０，アンダークラッド層１およびコア２ａ，２ｂと共に脱型する。
【００３２】
そして、図４（ｃ）に示すように、上記基板１０〔図４（ｂ）参照〕をアンダークラッド層１から剥離し、アンダークラッド層１，コア２ａ，２ｂおよびオーバークラッド層３からなる四角枠状の光導波路Ｗを得る。
【００３３】
つぎに、図５（ａ）に平面図で示すように、フレキシブルプリント基板７を準備し、それに、発光素子５，受光素子６，上記記憶装置Ａ（図１参照）を制御するＩＣ（図示せず），上記光導波路Ｗ（図１参照）の枠内から露呈した用紙５１（図１参照）の部分に書き込むメモ等の情報を記憶するメモリ（図示せず），その情報を再生用端末に出力する接続モジュール（図示せず）等を搭載し、回路基板を作製する。
【００３４】
ここで、図５（ｂ）に平面図で示すように、四角枠状の保持板３０を準備する。この保持板３０は、四角枠状の一辺３１が太く形成されている。この保持板３０の形成材料としては、例えば、金属，樹脂，ガラス，石英，シリコン等があげられる。なかでも、平面性の保持に優れている点で、ステンレスが好ましい。保持板３０の厚みは、例えば、０．５ｍｍ程度に設定される。
【００３５】
そして、図６（ａ）に平面図で示し，図６（ｂ）に断面図〔図６（ａ）のＸ４−Ｘ４断面図〕で示すように、上記回路基板の上記発光素子５を光出射用のコア２ａに接続し、上記受光素子６を光入射用のコア２ｂに接続する。この状態で、上記保持板３０の表面に、上記光導波路Ｗを貼着するとともに、上記回路基板と、この回路基板の電源となる電池とを固定する。このとき、上記光導波路Ｗの貼着は、上記保持板３０の表面のうち、上記太い一辺３１の外側端縁側の帯状部分３１ａ〔図５（ｂ）参照〕を残して施され、上記回路基板および電池の固定（上記記憶手段Ｃの固定）は、上記帯状部分３１ａに施される。なお、図６（ａ），（ｂ）における符号８は、先に述べたように、上記回路基板のＩＣ，メモリ，接続モジュール等および上記電池をまとめて図示したものである。
【００３６】
その後、図７に断面図で示すように、上記オーバークラッド層３のレンズ部３ａを除く頂面と、上記回路基板および電池の固定部分とを、保護板４０で被覆する。この保護板４０の形成材料としては、例えば、樹脂，金属，ガラス，石英，シリコン等があげられる。保護板４０の厚みは、例えば、０．５ｍｍ程度に設定される。
【００３７】
このようにして、上記記憶装置Ａを作製することができる。この記憶装置Ａにおいて、上記光導波路Ｗの部分は、先に述べたように、その表裏面の上記保持板３０と保護板４０とを合わせても、総厚を２ｍｍ程度と、薄く形成することができる。上記回路基板と電池とからなる記憶手段Ｃが固定された部分は、その表裏面の上記保持板３０と保護板４０とを合わせても、総厚を３ｍｍ程度と、薄く形成することができる。
【００３８】
なお、上記実施の形態では、記憶装置Ａを卓上メモ用具５０に対し着脱自在としたが、記憶装置Ａは、卓上メモ用具５０に取り付けたままの状態を保持して使用するようにしてよいし、卓上メモ用具５０から切り離し、必要なときのみ使用するようにしてもよい。
【００３９】
また、上記実施の形態では、記憶装置Ａの四角枠状の光導波路Ｗは、卓上メモ用具５０の用紙５１の一部分を囲むものとしたが、用紙５１の全体を囲むものとしてもよい。
【００４０】
そして、上記実施の形態では、記憶装置Ａの四角枠状の光導波路Ｗにおいて、枠内での光伝送効率を向上させるために、光出射用のコア２ａの先端部および光入射用のコア２ｂの先端部をレンズ部に形成するとともに、それを被覆するオーバークラッド層３の先端部もレンズ部３ａに形成したが、枠内での光伝送効率が充分であれば、上記レンズ部は、コア２ａ，２ｂまたはオーバークラッド層３の一方のみに形成してもよいし、両方とも形成しなくてもよい。また、上記レンズ部を形成しない場合、別体のレンズ体を準備し、光導波路Ｗの枠内に設置してもよい。
【００４１】
また、上記実施の形態では、上記光導波路Ｗの平面性を保持するために、光導波路Ｗの裏面に保持板３０を設け、さらに、光導波路Ｗを保護するために、光導波路Ｗの表面に保護板４０を設けたが、上記平面性保持や保護が充分であれば、いずれか一方のみを設けてもよいし、両方とも設けなくてもよい。
【００４２】
さらに、上記実施の形態では、上記記憶手段Ｃの表裏面にも、保持板３０および保護板４０を設けたが、その記憶手段Ｃから再生用端末への情報出力を無線で行う場合、上記保護板４０がステンレス製であると、無線電波に対してノイズが発生し、適正な情報出力ができなくなるおそれがあるため、上記保護板４０は、ポリカーボネート製等の樹脂製であることが好ましい。
【００４３】
つぎに、実施例について説明する。但し、本発明は、実施例に限定されるわけではない。
【実施例】
【００４４】
〔アンダークラッド層の形成材料〕
成分Ａ：脂環骨格を含むエポキシ樹脂（ダイセル化学工業社製、ＥＨＰＥ３１５０）７５重量部。
成分Ｂ：エポキシ基含有アクリル系ポリマー（日油社製、マープルーフＧ−０１５０Ｍ）２５重量部。
成分Ｃ：光酸発生剤（サンアプロ社製、ＣＰＩ−２００Ｋ）４重量部。
これら成分Ａ〜Ｃを、紫外線吸収剤（チバジャパン社製、ＴＩＮＵＶＩＮ４７９）５重量部とともに、シクロヘキサノン（溶剤）に溶解することにより、アンダークラッド層の形成材料を調製した。
【００４５】
〔コアの形成材料〕
成分Ｄ：ＢｉｓＡ骨格を含むエポキシ樹脂（ジャパンエポキシレジン社製、１５７Ｓ７０）８５重量部。
成分Ｅ：ＢｉｓＡ骨格を含むエポキシ樹脂（ジャパンエポキシレジン社製、エピコート８２８）５重量部。
成分Ｆ：エポキシ基含有スチレン系ポリマー（日油社製、マープルーフＧ−０２５０ＳＰ）１０重量部。
これら成分Ｄ〜Ｆと上記成分Ｃ４重量部とを、乳酸エチルに溶解することにより、コアの形成材料を調製した。
【００４６】
〔オーバークラッド層の形成材料〕
成分Ｇ：脂環骨格を有するエポキシ樹脂（アデカ社製、ＥＰ４０８０Ｅ）１００重量部。
この成分Ｇと上記成分Ｃ２重量部とを混合することにより、オーバークラッド層の形成材料を調製した。
【００４７】
〔光導波路の作製〕
四角枠状のステンレス製基板（厚み５０μｍ）の表面に、上記アンダークラッド層の形成材料を塗布した後、１６０℃×２分間の加熱処理を行い、感光性樹脂層を形成した。ついで、上記感光性樹脂層に対し、紫外線を照射して積算光量１０００ｍＪ／ｃｍ2 の露光を行い、厚み１０μｍの四角枠状のアンダークラッド層（波長８３０ｎｍにおける屈折率１．５１０）を形成した。
【００４８】
ついで、上記四角枠状のアンダークラッド層の表面に、上記コアの形成材料を塗布した後、１７０℃×３分間の加熱処理を行い、感光性樹脂層を形成した。つぎに、フォトマスクを介して（ギャップ１００μｍ）、紫外線を照射し、積算光量３０００ｍＪ／ｃｍ2 の露光を行った。つづいて、１２０℃×１０分間の加熱処理を行った。その後、現像液（γ−ブチロラクトン）を用い現像することにより、未露光部分を溶解除去した後、１２０℃×５分間の乾燥処理を行い、幅３０μｍ×高さ５０μｍのコア（波長８３０ｎｍにおける屈折率１．５７０）をパターン形成した。
【００４９】
ここで、オーバークラッド層形成用の、透光性を有する四角枠状の成形型を準備した。この成形型には、オーバークラッド層の表面形状に対応する型面を有する凹部が形成されている。そして、その凹部を上にして、成形型を成形ステージの上に設置し、その凹部に、上記オーバークラッド層の形成材料を充填した。
【００５０】
ついで、上記アンダークラッド層の表面にパターン形成したコアを、上記成形型の凹部に対して位置決めし、その状態で、上記アンダークラッド層を上記成形型に押圧し、上記オーバークラッド層の形成材料内に、上記コアを浸した。そして、この状態で、紫外線を、上記成形型を透して上記オーバークラッド層の形成材料に照射して積算光量８０００ｍＪ／ｃｍ2 の露光を行い、四角枠状の内周縁部が凸状のレンズ部に形成された四角枠状のオーバークラッド層を形成した。その凸状のレンズ部は、側断面形状が略１／４円弧状のレンズ曲面（曲率半径１．４ｍｍ）を有するものであった。
【００５１】
つぎに、上記成形型から、上記オーバークラッド層を、上記基板，アンダークラッド層およびコアと共に脱型した。
【００５２】
そして、上記基板をアンダークラッド層から剥離し、アンダークラッド層，コアおよびオーバークラッド層からなる四角枠状の光導波路（総厚１ｍｍ）を得た。
【００５３】
〔記憶装置の作製〕
つぎに、フレキシブルプリント基板を準備し、それに、発光素子（Ｏｐｔｗｅｌｌ社製、ＳＭ８５−２Ｎ００１），受光素子（浜松ホトニクス社製、Ｓ−１０２２６），ＣＭＯＳ駆動ＩＣ，水晶振動子，光導波路の枠内での書き込み情報を記憶するメモリ，再生用端末と接続する接続モジュール等を搭載し、回路基板を作製した。そして、この回路基板の上記発光素子を光出射用のコアに接続し、上記受光素子を光入射用のコアに接続した。また、上記回路基板に、電源となるコイン型リチウム電池（ＣＲ１２１６：厚み１．６ｍｍ、直径１２．５ｍｍ、電圧３Ｖ）を２個接続した。この回路基板とコイン型リチウム電池とからなる記憶手段の総厚は、２ｍｍであった。
【００５４】
ここで、四角枠状のステンレス製保持板（厚み０．５ｍｍ）を準備した。この保持板の中空枠は、縦９４．７ｍｍ×横１２５．７ｍｍの四角形とした。また、上記四角枠状の一辺は、幅２５ｍｍと太く形成し、他の３辺は、幅７ｍｍに形成した。そして、上記保持板の表面のうち、上記中空枠の外側部分に、上記四角枠状の光導波路を貼着するとともに、上記太い一辺の外側端縁側に、上記回路基板および電池を固定した。その後、上記オーバークラッド層のレンズ部を除く頂面と、上記回路基板および電池の固定部分とを、ポリカーボネート製保護板（厚み０．５ｍｍ）で被覆し、記憶手段を得た。この記憶手段において、光導波路部分は、その表裏面の上記保持板と保護板とを合わせて、総厚２ｍｍであり、上記回路基板と電池とが固定された部分（記憶手段部分）は、その表裏面の上記保持板と保護板とを合わせて、総厚３ｍｍであった。
【００５５】
〔卓上メモ装置の作製〕
筆記用具で書き込める用紙を綴じた卓上メモ用具を準備し、その用紙上に上記記憶装置を重ね合わせ、その記憶装置の四角枠状の光導波路の枠内から上記用紙の一部分を露呈させた。
【００５６】
〔卓上メモ装置の作動確認〕
上記光導波路の枠内から露呈した用紙の部分に、筆記用具でメモを書き込んだ。そして、上記記憶手段とパーソナルコンピュータとをマイクロＵＳＢケーブルで接続し、そのパーソナルコンピュータを利用して、上記記憶手段のメモリに保存（記憶）された情報を再生した結果、上記パーソナルコンピュータのディスプレイに、上記卓上メモ用具の用紙に書き込んだメモと同じものを表示することができた。なお、上記メモリには、上記メモをｐｄｆファイル形式で保存（記憶）した。
【産業上の利用可能性】
【００５７】
本発明の卓上メモ装置は、卓上メモ用具の用紙にメモ等の情報を書き込むと同時に、そのメモ等の情報を電子データとして記憶することに利用可能である。
【符号の説明】
【００５８】
Ｃ  記憶手段
Ｗ  光導波路
５０  卓上メモ用具
５１  用紙
【図１】
2012146057.tif 000003
【図２】
2012146057.tif 000004
【図３】
2012146057.tif 000005
【図４】
2012146057.tif 000006
【図５】
2012146057.tif 000007
【図６】
2012146057.tif 000008
【図７】
2012146057.tif 000009
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
筆記用具で書き込める用紙を綴じた卓上メモ用具と、上記用紙の少なくとも一部分を囲む、下記（Ａ）の枠状の光導波路と、この光導波路の光出射用のコアの後端部に接続される発光素子および光入射用のコアの後端部に接続される受光素子を有し、この光導波路の枠内から露呈した上記用紙の部分に筆記用具で書き込むときにその筆記用具の先端の移動軌跡を、上記発光素子が発する光の、上記筆記用具の先端による遮光によって上記受光素子が感知して電子データとして記憶する記憶手段とを備え、上記筆記用具が、それ自身無発光のものであることを特徴とする卓上メモ装置。
（Ａ）枠状に形成され、その枠状において互いに対向する一方の部分に、光出射用の複数のコアが形成され、他方の部分に、光入射用の複数のコアが形成され、各コアの先端部が上記枠状の内側縁に位置決めされ、光出射用のコアの先端部と光入射用のコアの先端部とが対向している光導波路。
【請求項２】
光導波路と記憶手段とが一体に記憶装置として形成され、その記憶装置が卓上メモ用具に対し着脱自在になっている請求項１記載の卓上メモ装置。
【請求項３】
光出射用のコアの先端部および光入射用のコアの先端部が、レンズ部に形成されている請求項１または２記載の卓上メモ装置。
【請求項４】
光出射用のコアの先端部および光入射用のコアの先端部を被覆した状態でオーバークラッド層の先端部が形成され、そのオーバークラッド層の先端部が、レンズ部に形成されている請求項１〜３のいずれか一項に記載の卓上メモ装置。
【手続補正２】
【補正対象書類名】明細書
【補正対象項目名】０００８
【補正方法】変更
【補正の内容】
【０００８】
上記の目的を達成するため、本発明の卓上メモ装置は、筆記用具で書き込める用紙を綴じた卓上メモ用具と、上記用紙の少なくとも一部分を囲む、下記（Ａ）の枠状の光導波路と、この光導波路の光出射用のコアの後端部に接続される発光素子および光入射用のコアの後端部に接続される受光素子を有し、この光導波路の枠内から露呈した上記用紙の部分に筆記用具で書き込むときにその筆記用具の先端の移動軌跡を、上記発光素子が発する光の、上記筆記用具の先端による遮光によって上記受光素子が感知して電子データとして記憶する記憶手段とを備え、上記筆記用具が、それ自身無発光のものであるという構成をとる。
（Ａ）枠状に形成され、その枠状において互いに対向する一方の部分に、光出射用の複数のコアが形成され、他方の部分に、光入射用の複数のコアが形成され、各コアの先端部が上記枠状の内側縁に位置決めされ、光出射用のコアの先端部と光入射用のコアの先端部とが対向している光導波路。
【手続補正３】
【補正対象書類名】明細書
【補正対象項目名】００２４
【補正方法】変更
【補正の内容】
【００２４】
そして、上記記憶手段Ｃのメモリに保存（記憶）されたメモ等の情報は、再生用端末（パーソナルコンピュータ，モバイル機等）を利用して再生（表示）することができ、さらに、上記再生用端末に記憶させることもできる。この場合、上記再生用端末と上記記憶手段Ｃとは、例えば、マイクロＵＳＢケーブル等の接続ケーブルで接続される。なお、上記記憶手段Ｃのメモリへの保存（記憶）は、例えば、ｐｄｆ等の汎用性のあるファイル形式で行われる。
【手続補正４】
【補正対象書類名】明細書
【補正対象項目名】００４５
【補正方法】変更
【補正の内容】
【００４５】
〔コアの形成材料〕
成分Ｄ：ビスフェノールＡ骨格を含むエポキシ樹脂（ジャパンエポキシレジン社製、１５７Ｓ７０）８５重量部。
成分Ｅ：ビスフェノールＡ骨格を含むエポキシ樹脂（ジャパンエポキシレジン社製、エピコート８２８）５重量部。
成分Ｆ：エポキシ基含有スチレン系ポリマー（日油社製、マープルーフＧ−０２５０ＳＰ）１０重量部。
これら成分Ｄ〜Ｆと上記成分Ｃ４重量部とを、乳酸エチルに溶解することにより、コアの形成材料を調製した。
【手続補正５】
【補正対象書類名】明細書
【補正対象項目名】００５３
【補正方法】変更
【補正の内容】
【００５３】
〔記憶装置の作製〕
つぎに、フレキシブルプリント基板を準備し、それに、発光素子（Ｏｐｔｏｗｅｌｌ社製、ＳＭ８５−２Ｎ００１），受光素子（浜松ホトニクス社製、Ｓ−１０２２６），ＣＭＯＳ駆動ＩＣ，水晶振動子，光導波路の枠内での書き込み情報を記憶するメモリ，再生用端末と接続する接続モジュール等を搭載し、回路基板を作製した。そして、この回路基板の上記発光素子を光出射用のコアに接続し、上記受光素子を光入射用のコアに接続した。また、上記回路基板に、電源となるコイン型リチウム電池（ＣＲ１２１６：厚み１．６ｍｍ、直径１２．５ｍｍ、電圧３Ｖ）を２個接続した。この回路基板とコイン型リチウム電池とからなる記憶手段の総厚は、２ｍｍであった。
【手続補正６】
【補正対象書類名】明細書
【補正対象項目名】００５４
【補正方法】変更
【補正の内容】
【００５４】
ここで、四角枠状のステンレス製保持板（厚み０．５ｍｍ）を準備した。この保持板の中空枠は、縦９４．７ｍｍ×横１２５．７ｍｍの四角形とした。また、上記四角枠状の一辺は、幅２５ｍｍと太く形成し、他の３辺は、幅７ｍｍに形成した。そして、上記保持板の表面のうち、上記中空枠の外側部分に、上記四角枠状の光導波路を貼着するとともに、上記太い一辺の外側端縁側に、上記回路基板および電池を固定した。その後、上記オーバークラッド層のレンズ部を除く頂面と、上記回路基板および電池の固定部分とを、ポリカーボネート製保護板（厚み０．５ｍｍ）で被覆し、記憶装置を得た。この記憶装置において、光導波路部分は、その表裏面の上記保持板と保護板とを合わせて、総厚２ｍｍであり、上記回路基板と電池とが固定された部分（記憶手段部分）は、その表裏面の上記保持板と保護板とを合わせて、総厚３ｍｍであった。